(57)【要約】ケージナットアセンブリ１００，２００，３００，４００，５００，６００，７００は、ナット部材１０２，２０２，３０２，４０２，５０２，６０２，７０２と、ケージ部材１０４，２０４，３０４，４０４，５０４，６０４，７０４とを有する。ナットは、そこを通るようにネジ切りされた開口１１６，２１６，３１６，４１６，５１６，６１６，７１６を有する。ケージ部材１０４，２０４，３０４，４０４，５０４，６０４，７０４は、ナット１０２，２０２，３０２，４０２，５０２，６０２，７０２を収容可能である。この場合、ナット１０２，２０２，３０２，４０２，５０２，６０２，７０２は、ケージ１０４，２０４，３０４，４０４，５０４，６０４，７０４内で、少なくとも１次元に制限された移動範囲を有する。ケージ１０４，２０４，３０４，４０４，５０４，６０４，７０４は、その中に開口１３０，２３０，３３０，４３０，５３０，６３０，７３０を有する。この開口は、ナット１０２，２０２，３０２，４０２，５０２，６０２，７０２の移動範囲内で、ナット１０２，２０２，３０２，４０２，５０２，６０２，７０２のネジ切りされた開口１１６，２１６，３１６，４１６，５１６，６１６，７１６に接近することを許容するように、そのサイズが決定され、配置されている。ケージ１０４，２０４，３０４，４０４，５０４，６０４，７０４は、そこから延びたディンプルやタブのような複数の突起１４０，１４２，１６０，２４０，２４２，２６０ａ，２６０ｂ，３４０，３４２，３６０，４４０，４４２，４６０，５４０，５４２，５６０，６４，６４２，６９９，７４０，７４２，７６０を有する。ケージ１０４，２０４，３０４，４０４，５０４，６０４，７０４を相手方表面に固定するために、突起１４０，１４２，１６０，２４０，２４２，２６０ａ，２６０ｂ，３４０，３４２，３６０，４４０，４４２，４６０，５４０，５４２，５６０，６４０，６４２，６９９，７４０，７４２，７６０は、相手方表面に溶接されることが可能である。ケージ１０４，２０４，３０４，４０４，５０４，６０４，７０４は、シーム１５８，２５８，３５８，４５８，５５７５，６７５，７７５を有する。
2005535848.tif 000002
【特許請求の範囲】
【請求項１】
ネジ切りされた開口を有するナット部材と係合可能であり、これによりケージナットアセンブリを提供するケージ部材であって、前記ケージ部材は、ナット部材を収容するように構成された本体を備えるとともに、その中に形成された開口を有し、前記開口は、ナット部材が前記ケージ部材によって概ね収容されたときに、ナット部材のネジ切りされた開口への接近を許容するように構成され、前記本体は、少なくとも１つの突起を有すると共に１つのシームを規定し、前記突起は、前記シームがその間に設けられるように互いに接する半体に形成されて、前記突起は、前記ケージ部材を相手方表面に固定するために、前記突起が相手方表面に溶接可能であるように構成され、そして、実質的に同時存在的に、前記突起の前記半体は、前記半体が前記シームに沿って互いに溶接可能であるように構成されていることを特徴とするケージ部材。
【請求項２】
前記本体は、３つの突起を規定し、前記３つの突起の１つは、互いに接する半体に形成されている請求項１に記載のケージ部材。
【請求項３】
前記突起のそれぞれは、ディンプルとして形成されている請求項２に記載のケージ部材。
【請求項４】
前記突起のそれぞれは、タブとして形成されている請求項２に記載のケージ部材。
【請求項５】
前記本体は、４つの突起を規定し、前記４つの突起の２つは、互いに接する半体に形成されている請求項１に記載のケージ部材。
【請求項６】
前記突起のそれぞれは、ディンプルとして形成されている請求項５に記載のケージ部材。
【請求項７】
前記本体は、ナット部材を支持するように構成されたベース部分と、前記ベース部分の対向する端部から延びた一対のアームとを有し、これらのアームは、ナット部材の回りで湾曲して、ナット部材を収容するように構成され、前記本体の前記開口は、その前記ベース部分を通して設けられ、各前記アームは、遊端を有し、各前記アームは、その上に設けられた前記少なくとも１つの突起の前記半体を有し、前記半体は互いに接して、それらの間に前記シームを設け、前記シームは、さらに前記アームの前記遊端間に設けられている請求項１に記載のケージ部材。
【請求項８】
前記アーム間の前記ベース部分の対向する端部から前記シームに向けてフランジ部材が延び、前記フランジ部材の少なくとも１つは、湾曲可能であり、前記フランジ部材は、ナット部材がケージ部材内に収容されたときに、ナット部材の移動範囲を制限するように構成されている請求項７に記載のケージ部材。
【請求項９】
前記本体は、一体的に形成された複数の側壁を有し、前記側壁の２つは、互いに接する遊端を有し、且つ前記遊端に沿ってそこから延びた前記少なくとも１つの突起の前記半体を有し、前記シームは、前記少なくとも１つの突起の前記半体の間、並びに前記２つの側壁の前記遊端の間に設けられている請求項１に記載のケージ部材。
【請求項１０】
遊端を有する前記側壁の一方は、その中に設けられた蟻継ぎポケットを有し、遊端を有する前記側壁の他方は、その上に設けられた蟻継ぎ拡張部を有し、この蟻継ぎ拡張部は、前記２つの側壁を一緒に結合するために、前記蟻継ぎポケット内に位置決めされることが可能である請求項９に記載のケージ部材。
【請求項１１】
前記側壁の２つは、そこから延びたフラップを有し、これらフラップは、互いに接する遊端をその上に有し、各前記フラップは、その前記遊端に半円形の切り抜き部を有し、これら半円形の切り抜き部は、互いに連通して円形の切り抜き部を形成する請求項９に記載のケージ部材。
【請求項１２】
ナット手入れ窓が前記側壁の一方に近接して設けられ、前記窓の一部をカバーするフランジが設けられ、このフランジは、ナット部材が前記ケージ部材内に収容されたときにナット部材への接近を可能とするように湾曲可能である請求項９に記載のケージ部材。
【請求項１３】
前記側壁の２つは、そこから延びた折り曲げ可能なアームを有し、これらアームは、ナット部材が前記ケージ部材内に収容されたときにナット部材を支持するために、ナット部材の下面の回りで折り曲がるように構成されている請求項９に記載のケージ部材。
【請求項１４】
ケージナットアセンブリであって、
そこを通るネジ切りされた開口を有するナット部材と、
前記ナット部材を収容するように構成された本体を有するとともに、その中に形成された開口を有するケージ部材と、を備え、前記開口は、前記ナット部材が前記ケージ部材によって概ね収容されたときに、前記ナット部材の前記ネジ切りされた開口への接近を可能とするように構成され、前記本体は、シームを規定すると共に、少なくとも１つの突起を有し、前記突起は、前記シームがそれらの間に設けられるように互いに接する半体に形成されて、前記突起は、前記ケージ部材を相手方表面に固定するために、前記突起が相手方表面に溶接可能であるように構成され、そして、実質的に同時存在的に、前記突起の前記半体は、前記半体が前記シームに沿って互いに溶接可能であるように構成されていることを特徴とするケージナットアセンブリ。
【請求項１５】
前記ケージ部材の前記本体は、一体的に形成された複数の側壁を有し、前記側壁の２つは、互いに接する遊端を有してその間に前記シームを設け、前記突起の１つは、その１つの突起がその前記遊端において前記２つの側壁の他方のエッジ上に重なるように、その前記遊端において、前記２つの側壁の一方のエッジ上に形成されている請求項１４に記載のケージナットアセンブリ。
【請求項１６】
ケージナットアセンブリのケージ部材を相手方表面に取り付ける方法であって、
ａ）ナット部材がケージ部材によって概ね収容されたときに、ナット部材のネジ切りされた開口への接近を可能とするように構成された本体を有するケージ部材であって、前記本体は、シームを規定すると共に、少なくとも１つの突起を有し、前記突起は、前記シームがそれらの間に設けられように互いに接する半体に形成されているケージ部材を与える工程と、
ｂ）前記ケージ部材の突起を相手方表面上に位置決めする工程と、
ｃ）前記突起の半体が前記シームに沿って一緒に溶接されるように、前記突起を相手方表面に溶接する工程と
を備えることを特徴とする方法。
【請求項１７】
ケージナットアセンブリを相手方表面に取り付ける方法であって、
ａ）ナット部材と、シーム、及びそのシームに沿って半体に形成された少なくとも１つの突起を規定する本体を有したケージ部材と、を与える工程と、
ｂ）前記ナット部材が前記ケージ部材内で少なくとも一方向に制限された移動範囲を有するように、前記ナット部材を前記ケージ部材内に収容して、前記ケージナットアセンブリを形成する工程と、
ｃ）前記ケージ部材の前記突起を相手方表面上に位置決めする工程と、
ｄ）前記突起の半体が前記シームに沿って溶接されるように、前記突起を相手方表面に溶接する工程と
を備えることを特徴とする方法。
【請求項１８】
ケージナットアセンブリを相手方表面に取り付ける方法であって、
ａ）ナット部材と、シーム、及びケージ部材の一部に重なるとともにそれらの間に前記シームを与える少なくとも１つの突起を規定する本体を有したケージ部材と、を与える工程と、
ｂ）前記ナット部材が前記ケージ部材内で少なくとも１次元に制限された移動範囲を有するように、前記ナット部材を前記ケージ部材内に収容して、前記ケージナットアセンブリを形成する工程と、
ｃ）前記ケージ部材の前記突起を相手方表面上に位置決めする工程と、
ｄ）前記重なる突起が前記シームに沿って前記ケージ部材の前記一部に溶接されるように、前記突起を相手方表面に溶接する工程と
を備えることを特徴とする方法。
【請求項１９】
ネジ切りされた開口を有するナット部材と係合可能であり、これによりケージナットアセンブリを提供するケージ部材であって、前記ケージ部材は、ナット部材を収容するように構成される本体を備えるとともに、その中に形成された開口を有し、前記開口は、ナット部材が前記ケージ部材によって概ね収容されたときに、ナット部材のネジ切りされた開口への接近を許容するように構成され、前記本体は、１つの溶接可能なシームを規定するとともに、少なくとも１つの突起を有し、前記突起は、前記ケージ部材を相手方表面に固定するために、前記突起が相手方表面に溶接可能であるように構成されていることを特徴とするケージ部材。
【発明の詳細な説明】
【技術分野】
【０００１】
本発明は、一般にケージナットアセンブリに関し、特に比較的薄い壁厚を有しながらトルク要件を満たすように構成されたケージナットアセンブリに関する。
【背景技術】
【０００２】
ケージナットアセンブリは、従来から周知であって、到達することが困難であったり、場合によっては不可能なフレーム内の位置に、ネジ切りされたナットを保持することができる有用な機能を提供する。ケージナットアセンブリは、車両におけるシートの取り付け、ラジエータの取り付け、シャーシから駆動トレインへの取り付け用に、さらにはナットが“Ｘ”および“Ｙ”軸の調整可能性を有する必要のある他のナット応用に使用される。
【０００３】
現在、ケージナットアセンブリにおけるケージの厚さは、その部分が扱うことができるトルクの量によって決定される。これは、ケージが３６０度連続して接続されていない、即ちケージにシーム／ギャップが存在するためである。かくして、ギャップが拡大することを防止するために、ケージは、トルクの全力を得ることができる材料厚を有しなければならない。十分な厚さが使用されない場合、駆動トルク中に、ナットが自由にスピンするまで、ナットはケージの側壁を押し出し（これによりシームを拡大し）て、ナットボルトアセンブリを止めてしまう。かくして、ケージナットアセンブリは、一般にトルク要件を満たすために、過剰に厚く、例えば最低でも２．０ミリメータの厚みのケージ壁を有する。
【０００４】
比較的薄いケージ壁で必要なトルクに対応できるケージナットアセンブリを作成することは有利である。“Ｘ”および“Ｙ”軸の調整可能性を必要とする所望の応用に使用可能なケージナットアセンブリを作成することもまた有利である。
【０００５】
［目的および要約］
本発明の実施形態の主たる目的は、比較的薄い壁厚を有するが、所望の応用におけるトルク要件を満たすケージナットアセンブリを提供することにある。
【０００６】
本発明の実施形態のもう１つの目的は、製造するに比較的安価であるが、所望の応用におけるトルク要件を満たすケージナットアセンブリを提供することにある。
【０００７】
本発明の実施形態のもう１つの目的は、ナットが“Ｘ”および“Ｙ”軸の調整可能性を有する必要のある応用に使用可能なケージナットアセンブリを提供することにある。
【０００８】
簡単に、そして前述したことに従って、本発明の実施形態は、ケージナットアセンブリ用のケージ部材を提供する。このケージ部材は、ケージ部材の材料に打出された突起を有する。これら突起の少なくとも１つは、半体に形成されている。これら半体は、他方の側にある相手方半体の正反対の材料のエッジに打出されている。ケージがその最終位置に向かって巻き付けられるときに、２つの半体は互いに密着して完全な突起を模造する。他の突起は、ケージのシーム（seam）上に配置されない。ケージ部材の最終曲げ動作が２つのケージエッジを互いに密着させるときに、ナットはケージ部材の中に入る。
【０００９】
本発明の実施形態によるケージ部材は、多くの形状をとることができる。例えば、ケージ部材は、その端部にフランジを有することができる。このフランジは、ケージ部材に収容されたナットへの接近を可能とし、またケージ部材を相手方表面へ溶接した後に、ナットの位置決めを可能とする。ケージ部材は、蟻継ぎ式結合システムに巻き付いて一緒に接合する。ケージ部材は、突起が半体に分割される代わりに、オフセットされるようにする。突起は、溶接プロセス中にケージ部材の壁面と整合するように設計されている。
【００１０】
この発明の構造および動作の組織および手法は、その更なる目的および利点と共に、添付の図面に関連してなされる以下の説明を参照することによって、最も良く理解される。図面では、同様の参照符号は同様の要素を識別している。
【００１１】
［図示された実施形態の詳細な説明］
この発明は、異なる形態の実施例に受け入れ可能であるが、発明の具体的な実施例が図面に示され、ここで詳細に説明される。但し、この開示は、発明の原理の例示と考えられるべきものであって、この発明を、ここに図示されたものに制限することを意図したものではない、と理解されるべきである。
【００１２】
図は、本発明のいくつかの実施形態を示す。各実施形態は、比較的薄い壁厚を有するが、所望の応用におけるトルク要件を満たすケージ部材１０４，２０４，３０４，４０４，５０４，６０４，７０４を有するように構成されたケージナットアセンブリ１００，２００，３００，４００，５００，６００，７００を提供する。各実施形態はまた、製造するに比較的安価であるが、所望の応用におけるトルク要件を満たすケージナットアセンブリ１００，２００，３００，４００，５００，６００，７００を提供する。さらに、各実施形態は、ナット部材１０２，２０２，３０２，４０２，５０２，６０２，７０２が“Ｘ”および“Ｙ”軸の調整可能性を有する必要のある応用に使用可能なケージナットアセンブリ１００，２００，３００，４００，５００，６００，７００を提供することにある。
【００１３】
本発明の第１の実施形態によるケージナットアセンブリ１００は図１〜３に示され、本発明の第２の実施形態によるケージナットアセンブリ２００は図４〜６に示され、本発明の第３の実施形態によるケージナットアセンブリ３００は図７〜９に示され、本発明の第４の実施形態によるケージナットアセンブリ４００は図１０〜１２に示され、本発明の第５の実施形態によるケージナットアセンブリ５００は図１３〜１５に示され、本発明の第６の実施形態によるケージナットアセンブリ６００は図１６〜１８に示され、本発明の第７の実施形態によるケージナットアセンブリ７００は図１９〜２１に示されている。同様の要素は、第１の実施形態では１００番台の、第２の実施形態では２００番台の、第３の実施形態では３００番台の、第４の実施形態では４００番台の、第５の実施形態では５００番台の、第６の実施形態では６００番台の、そして第７の実施形態では７００番台の、同様の参照符号で示されている。
【００１４】
本発明の第２の実施形態によるケージナットアセンブリ１００を示す図１〜３に注目する。このケージナットアセンブリ１００は、ナット１０２と、ケージ１０４とを備える。
【００１５】
ナット１０２は、図３に最も良く示されているように、矩形ブロック１０６を備える。この矩形ブロックは、概ね平面の上面１０８と、概ね平面の下面１１０と、これら上面および下面１０８，１１０を接続する側壁１１２とを有する。このナット１０２はまた、ナット１０２の上面１０８から外側に延びた円筒部材１１４を備える。円筒部材１１４は、直円筒の形状であることが好ましい。円筒部材１１４中に、ブロック１０６からナット部材１０２を通して、開口１１６が延びている。この開口１１６は、ブロック１０６の下面１１０で閉じられるか、ブロック１０６を通して最後まで延びる。開口１１６は、ネジ切りされていることが好ましい開口壁面１１８を規定する。この開口壁面は、そこに取り付けられるボルトやネジ（図示せず）を受け入れることが可能である。
【００１６】
ケージ１０４部材は、図１および２に最もよく示されている。ケージ部材１０４は、ナット部材１０２を収容するために使用される。ナット部材１０２を収容する前に、ケージ部材１０４は、概ね平面の上面および下面１２０，１２２を有する。ケージ部材１０４は、ベース部分１２４と、このベース部分１２４の対向する端部から延びた湾曲可能な第１及び第２のアーム部分１２６，１２８とを有する。第１及び第２のアーム部分１２６，１２８は、ベース部分１２４と一体的に形成されることが好ましい。
【００１７】
ケージ部材１０４のベース部分１２４を通して、開口１３０が設けられている。また、第１及び第２のアーム部分１２６，１２８は、それらの遊端１３６，１３８に概ね半円形の切り抜き部１３２，１３４を有する。
【００１８】
第１及び第２のアーム部分１２６，１２８は、その下面１２２上に設けられたディンプル（dimple）１４０，１４２を有する。これらは、打ち出しプロセスによって形成され、その下面１２２から外側に延びている。ディンプル１４０，１４２は、半円形の切り抜き部１３２，１３４とアーム１２６，１２８のエッジ１４４，１４６との間に設けられている。
【００１９】
第１及び第２のアーム１２６，１２８は、その下面１２２上に設けられた半ディンプル１４８，１５０を、アーム１２６，１２８の遊端１３６，１３８に有する。半ディンプル１４８，１５０は、打ち出しプロセスによって形成され、アーム１２６，１２８の下面１２２から外側に延びている。半ディンプル１４８，１５０は、半円形の切り抜き部１３２，１３４とアーム１２６，１２８のエッジ１５２，１５４との間に設けられている。
【００２０】
動作時に、ナット部材１０２の円筒部材１１４は、ケージ部材１０４の開口１３０を通して位置決めされ、ナット部材１０２の上面１０８がケージ部材１０４のベース部分１２４の上面１２０に接するようにする。その後、第１及び第２のアーム１２６，１２８は、ナット部材１０２の対向する側壁１１０の回りをナット部材１０２の下面１１０上まで曲げられて、ケージナットアセンブリ１００を形成する。
【００２１】
その後、アーム１２６，１２８の遊端１３６，１３８は互いに接する。この結果、半ディンプル１４８，１５０は互いに接し、且つ半円形の切り抜き部１３２，１３４は互いに連通して、円形の切り抜き部１５６を形成する。
【００２２】
アーム１２６，１２８は、それらの遊端１３６，１３８で互いに接するので、ケージ部材１０４は、ナット部材１０２と効果的に係合する。ケージ部材１０４と開口１０３は、ナット部材１０２の移動範囲を少なくとも１次元に、好ましくは２次元に、例えば図２に示されるように“Ｘ”および“Ｙ”軸に制限するように、それらのサイズが設定されている。円形の切り抜き部１５６はケージ部材１０４に設けられ、ナット部材１０２の移動範囲内で、ナット部材１０２の開口１１６への接近を、その下面１１０を通して可能にする。
【００２３】
ケージナットアセンブリ１００が形成されると、ケージナットアセンブリ１００はそれから、相手方表面１５７に取り付けられなければならない。ケージナットアセンブリ１００は、相手方表面１５７上に位置決めされ、ディンプル１４０，１４２，１４８，１５０が相手方表面１５７と接触する。ケージナットアセンブリ１００はそれから、ディンプル５４０，５４２の助けによって、相手方表面１５７に溶接される。溶接中に、遊端１３６，１３８は互いに溶接されて、溶接シーム（seam）１５８を形成する。半ディンプル１４８，１５０もまた、ケージナットアセンブリ１００を相手方表面１５７に溶接することを助け、そして互いに溶接されて、溶接ディンプル１６０を形成する。
【００２４】
本発明の第２の実施形態によるケージナットアセンブリ２００を示す図４〜６に注目する。このケージナットアセンブリ２００は、ナット２０２と、ケージ２０４とを備える。
【００２５】
ナット２０２は、図６に最も良く示されているように、矩形ブロック２０６を備える。この矩形ブロックは、概ね平面の上面２０８と、概ね平面の下面２１０と、これら上面および下面２０８，２１０を接続する側壁２１２とを有する。このナット２０２はまた、ナット２０２の上面２０８から外側に延びた円筒部材２１４を備える。円筒部材２１４は、直円筒の形状であることが好ましい。円筒部材２１４中に、ブロック２０６からナット部材２０２を通して、開口２１６が延びている。この開口２１６は、ブロック２０６の下面２１０で閉じられるか、ブロック２０６を通して最後まで延びる。開口２１６は、ネジ切りされていることが好ましい開口壁面２１８を規定する。この開口壁面は、そこに取り付けられるボルトやネジ（図示せず）を受け入れることが可能である。
【００２６】
ケージ部材２０４は、図４および５に最もよく示されている。ケージ部材２０４は、ナット部材２０２を収容するために使用される。ナット部材２０２を収容する前に、ケージ部材２０４は、概ね平面の上面および下面２２０，２２２を有する。ケージ部材２０４は、ベース部分２２４と、このベース部分２２４の対向する端部から延びた湾曲可能な第１及び第２のアーム部分２２６，２２８とを有する。第１及び第２のアーム部分２２６，２２８は、ベース部分２２４と一体的に形成されることが好ましい。
【００２７】
ケージ部材２０４のベース部分２２４を通して、開口２３０が設けられている。また、第１及び第２のアーム部分２２６，２２８は、それらの遊端２３６，２３８に概ね半円形の切り抜き部２３２，２３４を有する。
【００２８】
第１及び第２のアーム部分２２６，２２８は、その下面２２２上に設けられたディンプル２４０，２４２を有する。これらは、打ち出しプロセスによって形成され、その下面２２２から外側に延びている。ディンプル２４０，２４２は、半円形の切り抜き部２３２，２３４に近接して設けられ、且つアーム２２６，２２８のエッジ２４４，２４６とエッジ２５２，２５４との間に等距離に設けられている。
【００２９】
第１及び第２のアーム２２６，２２８は、その下面２２２上に設けられた半ディンプル２４８ａ，２４８ｂ；２５０ａ，２５０ｂを、アーム２２６，２２８の遊端２３６，２３８に有する。半ディンプル２４８ａ，２４８ｂ；２５０ａ，２５０ｂは、打ち出しプロセスによって形成され、アーム２２６，２２８の下面２２２から外側に延びている。半ディンプル２４８ａ，２５０ａは、半円形の切り抜き部２３２，２３４とアーム２２６，２２８のエッジ２４４，２４６との間に設けられている。半ディンプル２４８ｂ，２５０ｂは、半円形の切り抜き部２３２，２３４とアーム２２６，２２８のエッジ２５２，２５４との間に設けられている。
【００３０】
動作時に、ナット部材２０２の円筒部材２１４は、ケージ部材２０４の開口２３０を通して位置決めされ、ナット部材２０２の上面２０８がケージ部材２０４のベース部分２２４の上面２２０に接するようにする。その後、第１及び第２のアーム２２６，２２８は、ナット部材２０２の対向する側壁２１０の回りをナット部材２０２の下面２１０上まで曲げられて、ケージナットアセンブリ２００を形成する。
【００３１】
その後、アーム２２６，２２８の遊端２３６，２３８は互いに接する。この結果、半ディンプル１４８ａ，１５０ａは互いに接し、また半ディンプル１４８ｂ，１５０ｂは互いに接し、さらに半円形の切り抜き部２３２，２３４は互いに連通して、円形の切り抜き部２５６を形成する。
【００３２】
アーム２２６，２２８は、それらの遊端２３６，２３８で互いに接するので、ケージ部材２０４は、ナット部材２０２と効果的に係合する。ケージ部材２０４と開口２０３は、ナット部材２０２の移動範囲を少なくとも１次元に、好ましくは２次元に、例えば図４に示されるように“Ｘ”および“Ｙ”軸に制限するように、それらのサイズが設定されている。円形の切り抜き部２５６はケージ部材２０４に設けられ、ナット部材２０２の移動範囲内で、ナット部材２０２の開口２１６への接近を、その下面２１０を通して可能にする。
【００３３】
ケージナットアセンブリ２００が形成されると、ケージナットアセンブリ２００はそれから、相手方表面２５７に取り付けられなければならない。ケージナットアセンブリ２００は、相手方表面２５７上に位置決めされ、ディンプル２４０，２４２，２４８ａ，２４８ｂ，２５０ａ，２５０ｂが相手方表面２５７と接触する。ケージナットアセンブリ２００はそれから、ディンプル２４０，２４２の助けによって、相手方表面２５７に溶接される。溶接中に、遊端２３６，２３８は互いに溶接されて、溶接シーム２５８を形成する。半ディンプル２４８ａ，２５０ａ；２４８ｂ，２５０ｂもまた、ケージナットアセンブリ２００を相手方表面２５７に溶接することを助ける。そして半ディンプル２４８ａ，２５０ａは互いに溶接されて溶接ディンプル２６０ａを形成し、また半ディンプル２４８ｂ，２５０ｂは互いに溶接されて溶接ディンプル２６０ｂを形成する。
【００３４】
本発明の第２の実施形態によるケージナットアセンブリ３００を示す図７〜９に注目する。このケージナットアセンブリ３００は、ナット３０２と、ケージ３０４とを備える。
【００３５】
ナット３０２は、図９に最も良く示されているように、矩形ブロック３０６を備える。この矩形ブロックは、概ね平面の上面３０８と、概ね平面の下面３１０と、これら上面および下面３０８，３１０を接続する側壁３１２とを有する。ナット部材３０２のブロック３０６を通して、開口３１６が延びている。この開口３１６は、ブロック３０６の下面３１０で閉じられるか、ブロック３０６を通して最後まで延びる。開口３１６は、ネジ切りされていることが好ましい開口壁面３１８を規定する。この開口壁面は、そこに取り付けられるボルトやネジ（図示せず）を受け入れることが可能である。
【００３６】
ケージ３０４部材は、図７および８に最もよく示されている。ケージ３０４部材は、ナット部材３０２を収容するために使用される。ナット部材３０２を収容する前に、ケージ部材３０４は、概ね平面の上面および下面３２０，３２２を有する。ケージ部材３０４は、ベース部分３２４と、このベース部分３２４の対向する端部から延びた湾曲可能な第１及び第２のアーム部分３２６，３２８とを有する。第１及び第２のアーム部分３２６，３２８は、ベース部分３２４と一体的に形成されることが好ましい。
【００３７】
図８に最もよく示されているように、ケージ部材３０４は更に、ベース部分３２４の対向する端部から延びた一対のＬ型フランジ３６２，３６４を有する。これらの端部は、アーム部分３２６，３２８がベース部分３２４から延びた対向する端部ではない。Ｌ型フランジ３６２は、第２のアーム部分３２８に近接したベース部分３２４から上向きに直角に延びた第１の部分３６６と、第１の部分３６６から第１のアーム部分３２６に向けて直角に延びた第２の部分３６８とを有する。Ｌ型フランジ３６４は、第１のアーム部分３２６に近接したベース部分３２４から外向きに直角に延びた第１の部分３７０と、第１の部分３７０から第２のアーム部分３２８に向けて直角に延びた第２の部分３７２とを有する。Ｌ型フランジ３６４は、湾曲可能である。Ｌ型フランジ３２６，３６４は、ケージ部材３０４のベース部分３２４と一体的に形成されることが好ましい。
【００３８】
ケージ部材３０４のベース部分３２４を通して、開口３３０が設けられている。また、第１及び第２のアーム部分３２６，３２８は、それらの遊端３３６，３３８に概ね半円形の切り抜き部３３２，３３４を有する。
【００３９】
第１及び第２のアーム部分３２６，３２８は、その下面３２２上に設けられたディンプル３４０，３４２を有する。これらは、打ち出しプロセスによって形成され、その下面３２２から外側に延びている。ディンプル３４０，３４２は、半円形の切り抜き部３３２，３３４とアーム３２６，３２８のエッジ３４４，３４６との間に設けられている。
【００４０】
第１及び第２のアーム３２６，３２８は、その下面３２２上に設けられた半ディンプル３４８，３５０を、アーム３２６，３２８の遊端３３６，３３８に有する。半ディンプル３４８，３５０は、打ち出しプロセスによって形成され、アーム３２６，３２８の下面３２２から外側に延びている。半ディンプル３４８，３５０は、半円形の切り抜き部３３２，３３４とアーム３２６，３２８のエッジ３５２，３５４との間に設けられている。
【００４１】
動作時に、第１及び第２のアーム３２６，３２８は曲げられて、アーム３２６，３２８の遊端３３６，３３８は互いに接する。この結果、半ディンプル３４８，３５０は互いに接し、且つ半円形の切り抜き部３３２，３３４は互いに連通して、円形の切り抜き部３５６を形成する。
【００４２】
その後、ナット部材３０２は、Ｌ型フランジ３６４が設けらたケージ部材３０４の端部から、ケージ部材３０４内に滑入される。この結果、ナット部材３０２の上面１０８は、ケージ部材３０４のベース部分３２４の上面３２０に面するようになる。Ｌ型フランジ３６２は、ナット部材３０２がケージ部材３０２から滑り出すことを防止する。ナット部材３０２がケージ部材３０４内に位置決めされると、Ｌ型フランジ３６４は曲げられて、ナット部材３０２がケージ部材３０２から滑り出すことを防止し、かくして図７に最も良く示されているように、ナット部材３０２をケージ部材３０４内に効果的に収容して、ケージナットアセンブリ３００を形成する。
【００４３】
ケージ部材３０４は、ナット部材３０２の移動範囲を少なくとも１次元に、好ましくは２次元に、例えば図７に示されるように“Ｘ”および“Ｙ”軸に制限するように、それらのサイズが設定されている。円形の切り抜き部３５６はケージ部材３０４に設けられ、ナット部材３０２の移動範囲内で、ナット部材３０２の開口３１６への接近を、その下面３１０を通して可能にする。
【００４４】
ケージナットアセンブリ３００が形成されると、ケージナットアセンブリ３００はそれから、相手方表面３５７に取り付けられなければならない。ケージナットアセンブリ３００は、相手方表面３５７上に位置決めされ、ディンプル３４０，３４２，３４８，３５０が相手方表面３５７と接触する。ケージナットアセンブリ３００はそれから、ディンプル３４０，３４２の助けによって、相手方表面３５７に溶接される。溶接中に、遊端３３６，３３８は互いに溶接されて、溶接シーム３５８を形成する。半ディンプル３４８，３５０もまた、ケージナットアセンブリ３００を相手方表面３５７に溶接することを助け、そして互いに溶接されて、溶接ディンプル３６０を形成する。
【００４５】
ここで留意されるべき点は、ケージナットアセンブリ３００もまた、３つのディンプルではなく、ケージナットアセンブリ２００の第２の実施形態で開示されたものと同様に、４つのディンプルを有するように形成され得るということである。
【００４６】
本発明の第４の実施形態によるケージナットアセンブリ４００を示す図１０〜１２に注目する。このケージナットアセンブリ４００は、ナット４０２と、ケージ４０４とを備える。
【００４７】
ナット４０２は、図１２に最も良く示されているように、矩形ブロック４０６を備える。この矩形ブロックは、概ね平面の上面４０８と、概ね平面の下面４１０と、これら上面および下面４０８，４１０を接続する側壁４１２とを有する。このナット４０２はまた、ナット４０２の上面４０８から外側に延びた円筒部材４１４を備える。円筒部材４１４は、直円筒の形状であることが好ましい。円筒部材４１４中に、ブロック４０６からナット部材４０２を通して、開口４１６が延びている。この開口４１６は、ブロック４０６の下面４１０で閉じられるか、ブロック４０６を通して最後まで延びる。開口４１６は、ネジ切りされていることが好ましい開口壁面４１８を規定する。この開口壁面は、そこに取り付けられるボルトやネジ（図示せず）を受け入れることが可能である。
【００４８】
ケージ４０４部材は、図１０〜１１に最もよく示されている。ケージ部材４０４は、ナット部材４０２を収容するために使用される。ナット部材４０２を収容する前に、ケージ部材４０４は、概ね平面の上面および下面４２０，４２２を有する。ケージ部材４０４は、ベース部分４２４と、このベース部分４２４の対向する端部から延びた湾曲可能な第１及び第２のアーム部分４２６，４２８とを有する。第１及び第２のアーム部分４２６，４２８は、ベース部分４２４と一体的に形成されることが好ましい。
【００４９】
ケージ部材４０４は更に、ベース部分４２４の対向する端部から延びた一対のフランジ４６２，４６４を有する。これらの端部は、アーム部分４２６，４２８がベース部分４２４から延びた対向する端部ではない。フランジ４６２は、ベース部分４２４から上向きに直角に延び、またアーム部分４２６，４２８の間に実質的に延びている。フランジ４６４はＬ型で、第１のアーム部分４２６に近接したベース部分４２４から外向きに直角に延びた第１の部分４７０と、第１の部分４７０から第２のアーム部分４２８に向けて直角に延びた第２の部分４７２とを有する。フランジ４６４は、湾曲可能である。フランジ４２６，４６４は、ケージ部材４０４のベース部分４２４と一体的に形成されることが好ましい。
【００５０】
ケージ部材４０４のベース部分４２４を通して、開口４３０が設けられている。また、第１及び第２のアーム部分４２６，４２８は、それらの遊端４３６，４３８に概ね半円形の切り抜き部４３２，４３４を有する。
【００５１】
第１及び第２のアーム部分４２６，４２８は、その下面４２２上に設けられたタブ（ｔａｂ）４４０，４４２を有する。これらは、その下面４２２から外側に延びている。タブ（ｔａｂ）４４０，４４２は、半円形の切り抜き部４３２，４３４とアーム４２６，４２８のエッジ４４４，４４６との間に設けられている。
【００５２】
第１及び第２のアーム４２６，４２８は、その下面４２２上に設けられた半タブ４４８，４５０を、アーム４２６，４２８の遊端４３６，４３８に有する。半タブ４４８，４５０は、アーム４２６，４２８の下面４２２から外側に延びている。半タブ４４８，４５０は、半円形の切り抜き部４３２，４３４とアーム４２６，４２８のエッジ４５２，４５４との間に設けられている。
【００５３】
動作時に、ナット部材４０２の円筒部材４１４は、ケージ部材４０４の開口４３０を通して位置決めされ、ナット部材４０２の上面４０８がケージ部材４０４のベース部分４２４の上面４２０に接するようにする。第１及び第２のアーム４２６，４２８は、ナット部材４０２の対向する側壁４１２の回りをナット部材４０２の下面４１０上まで曲げられて、ケージナットアセンブリ４００を形成する。
【００５４】
その後、アーム４２６，４２８の遊端４３６，４３８は互いに接する。この結果、半タブ４４８，４５０は互いに接し、また半円形の切り抜き部４３２，４３４は互いに連通して、円形の切り抜き部４５６を形成する。タブ４４０，４４２は、ナット部材４０２の下面４１０を回る第１及び第２のアーム４２６，４２８の湾曲部において、ケージ部材４０４の下面４２２から外側に延びている。この場合、タブ４４０，４４２は、ナット部材４０２の円筒部材４１４とは逆方向に延びている。
【００５５】
アーム４２６，４２８は、それらの遊端４３６，４３８で互いに接するので、ケージ部材４０４は、ナット部材４０２と効果的に係合する。ケージ部材４０４と開口４０３は、ナット部材４０２の移動範囲を少なくとも１次元に、好ましくは２次元に、例えば図１１に示されるように“Ｘ”および“Ｙ”軸に制限するように、それらのサイズが設定されている。円形の切り抜き部４５６はケージ部材４０４に設けられ、ナット部材４０２の移動範囲内で、ナット部材４０２の開口４１６への接近を、その下面４１０を通して可能にする。
【００５６】
ケージナットアセンブリ４００が形成されると、ケージナットアセンブリ４００はそれから、相手方表面４５７に取り付けられなければならない。ケージナットアセンブリ４００は、相手方表面４５７上に位置決めされ、タブ４４０，４４２，４４８，４５０が相手方表面４５７と接触する。ケージナットアセンブリ４００はそれから、タブ４４０，４４２の助けによって、相手方表面４５７に溶接される。溶接中に、遊端４３６，４３８は互いに溶接されて、溶接シーム４５８を形成する。半タブ４４８，４５０もまた、ケージナットアセンブリ４００を相手方表面４５７に溶接することを助ける。そして半タブ４４８，４５０は互いに溶接されて溶接タブ４６０を形成する。
【００５７】
ここで留意されるべき点は、ナット部材４０２の移動範囲を少なくとも１次元に、好ましくは２次元に、例えば図１１に示されるように“Ｘ”および“Ｙ”軸に制限するようにサイズ設定された円筒部材４１４とケージ部材４０４なしに、ナット部材４０２が形成され得るということである。
【００５８】
ここで更に留意されるべき点は、ケージナットアセンブリ４００もまた、３つのタブではなく、ケージナットアセンブリ２００の第２の実施形態で開示されたものと、ディンプル以外は同様に、４つのタブを有するように形成され得るということである。
【００５９】
本発明の第５の実施形態によるケージナットアセンブリ５００を示す図１３〜１５に注目する。このケージナットアセンブリ５００は、ナット５０２と、ケージ５０４とを備える。
【００６０】
ナット５０２は、図１５に最も良く示されているように、矩形ブロック５０６を備える。この矩形ブロックは、概ね平面の上面５０８と、概ね平面の下面（図示せず）と、これら上面５０８および下面を接続する側壁５１２とを有する。このナット５０２はまた、ナット５０２の上面５０８から外側に延びた円筒部材５１４を備える。円筒部材５１４は、直円筒の形状であることが好ましい。円筒部材５１４中に、ブロック５０６からナット部材５０２を通して、開口５１６が延びている。この開口５１６は、ブロック５０６の下面５１０で閉じられるか、ブロック５０６を通して最後まで延びる。開口５１６は、ネジ切りされていることが好ましい開口壁面５１８を規定する。この開口壁面は、そこに取り付けられるボルトやネジ（図示せず）を受け入れることが可能である。
【００６１】
ケージ５０４部材は、図１３および１４に最もよく示されている。ケージ部材５０４は、ナット部材５０２を収容するために使用される。ナット部材５０２を収容する前に、ケージ部材５０４は、第１の側壁５２１を有するように形成されている。この第１の側壁は、頂部および底部エッジ５２３，５２５と、第１及び第２の側端部５２７，５２９とを有する。
【００６２】
ケージ部材５０４は更に、第２の側壁５３１を有するように形成されている。この第２の側壁は、頂部および底部エッジ５３３，５３５と、第１及び第２の側端部５３７，５３９とを有する。第２の側壁５３１は、第１の側壁５２１と一体的に形成され、第２の側壁５３１の第１の側端部５３７が、第１の側壁５２１の第２の側端部５２９と等しくなる。第２の側壁５３１は、図１３に示されるように、第１の側壁５２１から直角に、“Ｘ”軸に沿って延びている。第２の側壁５３１の底部エッジ５３５は、第１の側壁５２１の底部エッジ５２５と同一面に設けられ、第２の側壁５３１の頂部エッジ５３３は、第１の側壁５２１の頂部エッジ５３５とは異なる面に設けられている。
【００６３】
ケージ部材５０４は更に、第３の側壁５４１を有するように形成されている。この第３の側壁は、頂部および底部エッジ５４３，５４５と、第１及び第２の側端部５４７，５４９とを有する。第３の側壁５４１は、第２の側壁５３１と一体的に形成され、第３の側壁５４１の第１の側端部５４７が、第２の側壁５３１の第２の側端部５３９と等しくなる。第３の側壁５４１は、図１３に示されるように、第２の側壁５３１から直角に、“Ｙ”軸に沿って延びている。この結果、第３の側壁５４１は第１の側壁５２１と平行になる。第３の側壁５４１の頂部および底部エッジ５４３，５４５は、第１の側壁５２１の頂部および底部エッジ５２３，５２５と同一面に設けられている。
【００６４】
ケージ部材５０４は更に、第４の側壁５５１を有するように形成されている。この第４の側壁は、頂部および底部エッジ５５３，５５５と、第１及び第２の側端部５５７，５５９とを有する。第４の側壁５５１は、第３の側壁５４１と一体的に形成され、第４の側壁５５１の第１の側端部５５７が、第３の側壁５４１の第２の側端部５４９と等しくなる。第４の側壁５５１は、図１３に示されるように、第３の側壁５４１から直角に、“Ｘ”軸に沿って延びている。この結果、第４の側壁５５１は第２の側壁５３１と平行になる。第４の側壁５５１の頂部および底部エッジ５５３，５５５は、第１の側壁５２１の頂部および底部エッジ５２３，５２５と同一面に設けられている。第４の側壁５５１の第２の側端部５５９はまた、蟻継ぎポケット５６１を有するように形成されている。
【００６５】
ケージ部材５０４は更に、第５の側壁５６３を有する。この第５の側壁は、頂部および底部エッジ５６５，５６７と、第１及び第２の側端部５６９，５７１とを有する。第５の側壁５６３は、第１の側壁５２１と一体的に形成され、第５の側壁５６３の第２の側端部５７１が、第１の側壁５２１の第１の側端部５２７と等しくなる。第５の側壁５６３は、図１３に示されるように、第１の側壁５２１から直角に、“Ｘ”軸に沿って延びている。この結果、第５の側壁５６３は第２の側壁５３１と平行になる。第５の側壁５６３の頂部および底部エッジ５６５，５６７は、第１の側壁５２１の頂部および底部エッジ５２３，５２５と同一面に設けられている。第５の側壁５６３の第１の側端部５６９はまた、蟻継ぎ拡張部５７３を有するように形成されている。蟻継ぎ拡張部５７３は、蟻継ぎポケット５６１内に挿入されて、第４の側壁５５１を第５の側壁５６３にロックする。この結果、第４の側壁５５１の第２の側端部５５９は、第５の側壁５６３の第１の側端部５６９に接する。第４の側壁５５１の第２の側端部５５９と第５の側壁５６３の第１の側端部５６９との間に、シーム５７５が設けられる。
【００６６】
第１の側壁５２１の底部エッジ５２５上に、第１および第２の側壁５２１，５３１の接続部に近接して、タブ５４０が設けられている。第３の側壁５４１の底部エッジ５４５上に、第２および第３の側壁５３１，５４１の接続部に近接して、タブ５４２が設けられている。第４の側壁５５１の底部エッジ５５５上に、第４および第５の側壁５５１，５６３の接続部に近接して、半タブ５４８が設けられている。第５の側壁５６３の底部エッジ５６７上に、第４および第５の側壁５５１，５６３の接続部に近接して、半タブ５５０が設けられている。半タブ５４８，５５０は互いに接して、それらの間にシーム５７５が設けられるようにする。
【００６７】
第１の側壁５２１の頂部エッジ５２３から第１のフラップ５７７が延びている。この第１のフラップは、概ね半円形の切り抜き部５７９をその遊端５８１に有する。第１のフラップ５７７は湾曲可能である。第３の側壁５４１の頂部エッジ５４３から第２のフラップ５８３が延びている。この第２のフラップは、概ね半円形の切り抜き部５８５をその遊端５８７に有する。第２のフラップ５８３は湾曲可能である。第１および第２のフラップ５７７，５８３は向かい合うように曲げられる。この結果、遊端５８１，５８７は互いに接し、また半円形の切り抜き部５７９，５８５は互いに連通して、円形の切り抜き部５８９を形成する。
【００６８】
第１、第２および第３の側壁５２１，５３１，５４１とフラップ５７７，５８３との間に、窓５９１が設けられている。フランジ５９３は、窓５９１の一部をカバーすると共に、第２および第３の側壁５３１，５４１の接続部から延びている。フランジ５９３は湾曲可能である。
【００６９】
第１の側壁５２１もまた、折り曲げられたアーム５９５をその上に有する。このアームは、第１の側壁５２１と一体的に形成され、そして第１の側壁５２１の第１及び第２の側端部５２７，５２９から等しい距離に位置決めされている。折り曲げられたアーム５９５も湾曲可能である。第３の側壁５４１もまた、折り曲げられたアーム５９７をその上に有する。このアームは、第３の側壁５４１と一体的に形成され、そして第３の側壁５２１の第１及び第２の側端部５４７，５４９から等しい距離に位置決めされている。折り曲げられたアーム５９７も湾曲可能である。
【００７０】
動作時に、ナット部材５０２は、ケージ部材５０４の側壁５２１，５３１，５４１，５５１，５６３の間に位置決めされるので、ナット部材５０２の円筒部材５１４は、ケージ部材５０４の円形切り抜き部５８９を通して位置決めされる。その後、折り曲げられたアーム５９５，５９７は曲げられて、ナット部材５０２の下面５１０に接し、ケージナットアセンブリ５００を形成する。この結果、ケージ部材５０４は、ナット部材４０２と効果的に係合する。ケージ部材５０４と円形切り抜き部５８９は、ナット部材５０２の移動範囲を少なくとも１次元に、好ましくは２次元に、例えば図１３に示されるように“Ｘ”および“Ｙ”軸に制限するように、それらのサイズが設定されている。
【００７１】
ケージナットアセンブリ５００が形成されると、ケージナットアセンブリ５００はそれから、相手方表面５５７に取り付けられなければならない。ケージナットアセンブリ５００は、相手方表面５５７上に位置決めされ、タブ５４０，５４２，５４８，５５０が相手方表面５５７と接触する。ケージナットアセンブリ５００はそれから、タブ５４０，５４２の助けによって、相手方表面５５７に溶接される。溶接中に、第４及び第５の側壁５５１，５６３は、溶接シーム５５８に沿って互いに溶接される。半タブ５４８，５５０もまた、ケージナットアセンブリ５００を相手方表面５５７に溶接することを助け、そして互いに溶接されて溶接タブ５６０を形成する。
【００７２】
窓５９１は、必要に応じてナット部材５０２を手入れするためのナット部材取り外し窓として作用する。フランジ５９３は、ナット部材５０２をケージ部材５０４内に保持することを助けるように作用するが、ナット部材５０２を手入れする必要がある場合に、ナット部材５０２への接近を可能とするように、外側へ曲げることもできる。
【００７３】
ここで留意されるべき点は、ナット部材５０２の移動範囲を少なくとも１次元に、好ましくは２次元に、例えば図１３に示されるように“Ｘ”および“Ｙ”軸に制限するようにサイズ設定された円筒部材５１４とケージ部材５０４なしに、ナット部材５０２が形成され得るということである。
【００７４】
本発明の第６の実施形態によるケージナットアセンブリ６００を示す図１６〜１８に注目する。このケージナットアセンブリ６００は、ナット６０２と、ケージ６０４とを備える。
【００７５】
ナット６０２は、図１８に最も良く示されているように、矩形ブロック６０６を備える。この矩形ブロックは、概ね平面の上面６０８と、概ね平面の下面６１０と、これら上面および下面６０８，６１０を接続する側壁６１２とを有する。このナット６０２はまた、ナット６０２の上面６０８から外側に延びた円筒部材６１４を備える。円筒部材６１４は、直円筒の形状であることが好ましい。円筒部材６１４中に、ブロック６０６からナット部材６０２を通して、開口６１６が延びている。この開口６１６は、ブロック６０６の下面６１０で閉じられるか、ブロック６０６を通して最後まで延びる。開口６１６は、ネジ切りされていることが好ましい開口壁面６１８を規定する。この開口壁面は、そこに取り付けられるボルトやネジ（図示せず）を受け入れることが可能である。
【００７６】
ケージ６０４部材は、図１６〜１７に最もよく示されている。ケージ部材６０４は、ナット部材６０２を収容するために使用される。ナット部材６０２を収容する前に、ケージ部材６０４は、第１の側壁６２１を有するように形成されている。この第１の側壁は、頂部および底部エッジ６２３，６２５と、第１及び第２の側端部６２７，６２９とを有する。
【００７７】
ケージ部材６０４は更に、第２の側壁６３１を有するように形成されている。この第２の側壁は、頂部および底部エッジ６３３，６３５と、第１及び第２の側端部６３７，６３９とを有する。第２の側壁６３１は、第１の側壁６２１と一体的に形成され、第２の側壁６３１の第１の側端部６３７が、第１の側壁６２１の第２の側端部６２９と等しくなる。第２の側壁６３１は、図１６に示されるように、第１の側壁６２１から直角に、“Ｘ”軸に沿って延びている。第２の側壁６３１の底部エッジ６３６は、第１の側壁６２１の底部エッジ６２５と同一面に設けられ、第２の側壁６３１の頂部エッジ６３３は、第１の側壁６２１の頂部エッジ６３５とは異なる面に設けられている。
【００７８】
ケージ部材６０４は更に、第３の側壁６４１を有するように形成されている。この第３の側壁は、頂部および底部エッジ６４３，６４５と、第１及び第２の側端部６４７，６４９とを有する。第３の側壁６４１は、第２の側壁６３１と一体的に形成され、第３の側壁６４１の第１の側端部６４７が、第２の側壁６３１の第２の側端部５３９と等しくなる。第３の側壁６４１は、図１６に示されるように、第２の側壁６３１から直角に、“Ｙ”軸に沿って延びている。この結果、第３の側壁６４１は第１の側壁６２１と平行になる。第３の側壁６４１の頂部および底部エッジ６４３，６４５は、第１の側壁６２１の頂部および底部エッジ６２３，６２５と同一面に設けられている。
【００７９】
ケージ部材６０４は更に、第４の側壁６５１を有するように形成されている。この第４の側壁は、頂部および底部エッジ６５３，６５５と、第１及び第２の側端部６５７，６５９とを有する。第４の側壁６５１は、第３の側壁６４１と一体的に形成され、第４の側壁６５１の第１の側端部６５７が、第３の側壁６４１の第２の側端部６４９と等しくなる。第４の側壁６５１は、図１６に示されるように、第３の側壁６４１から直角に、“Ｘ”軸に沿って延びている。この結果、第４の側壁６５１は第２の側壁６３１と平行になる。第４の側壁６５１の頂部および底部エッジ６５３，６５５は、第１の側壁６２１の頂部および底部エッジ６２３，６２５と同一面に設けられている。第４の側壁６５１の第２の側端部６５９はまた、蟻継ぎポケット６６１を有するように形成されている。
【００８０】
ケージ部材６０４は更に、第５の側壁６６３を有する。この第５の側壁は、頂部および底部エッジ６６５，６６７と、第１及び第２の側端部６６９，６７１とを有する。第５の側壁６６３は、第１の側壁６２１と一体的に形成され、第５の側壁６６３の第２の側端部６７１が、第１の側壁６２１の第１の側端部６２７と等しくなる。第５の側壁６６３は、図１６に示されるように、第１の側壁６２１から直角に、“Ｘ”軸に沿って延びている。この結果、第５の側壁６６３は第２の側壁６３１と平行になる。第５の側壁６６３の頂部および底部エッジ６６５，６６７は、第１の側壁６２１の頂部および底部エッジ６２３，６２５と同一面に設けられている。第５の側壁６６３の第１の側端部６６９はまた、蟻継ぎ拡張部６７３を有するように形成されている。蟻継ぎ拡張部６７３は、蟻継ぎポケット６６１内に挿入されて、第４の側壁６５１を第５の側壁６６３にロックする。この結果、第４の側壁６５１の第２の側端部６５９は、第５の側壁６６３の第１の側端部６６９に接する。第４の側壁６５１の第２の側端部６５９と第５の側壁６６３の第１の側端部６６９との間に、シーム６７５が設けられる。
【００８１】
第１の側壁６２１の底部エッジ６２５上に、第１および第２の側壁６２１，６３１の接続部に近接して、タブ６４０が設けられている。第３の側壁６４１の底部エッジ６４５上に、第２および第３の側壁６３１，６４１の接続部に近接して、タブ６４２が設けられている。第５の側壁６６３の底部エッジ６６７上に、第４および第５の側壁６５１，６６３の接続部に近接して、タブ６９９が設けられている。タブ６９９は、シーム６７５がそれらの間に設けられた第４および第５の側壁６５１，６６３の接続部に近接して、第４の側壁６５１の底部エッジ６５５に接している。
【００８２】
第１の側壁６２１の頂部エッジ６２３から第１のフラップ６７７が延びている。この第１のフラップは、概ね半円形の切り抜き部６７９をその遊端６８１に有する。第１のフラップ６７７は湾曲可能である。第３の側壁６４１の頂部エッジ６４３から第２のフラップ６８３が延びている。この第２のフラップは、概ね半円形の切り抜き部６８５をその遊端６８７に有する。第２のフラップ６８３は湾曲可能である。第１および第２のフラップ６７７，６８３は向かい合うように曲げられる。この結果、遊端６８１，６８７は互いに接し、また半円形の切り抜き部６７９，６８５は互いに連通して、円形の切り抜き部６８９を形成する。
【００８３】
第１、第２および第３の側壁６２１，６３１，６４１とフラップ６７７，６８３との間に、窓５９１が設けられている。フランジ６９３は、窓６９１の一部をカバーすると共に、第２および第３の側壁６３１，６４１の接続部から延びている。フランジ６９３は湾曲可能である。
【００８４】
第１の側壁６２１もまた、折り曲げられたアーム６９５をその上に有する。このアームは、第１の側壁６２１と一体的に形成され、そして第１の側壁６２１の第１及び第２の側端部６２７，６２９から等しい距離に位置決めされている。折り曲げられたアーム６９５も湾曲可能である。第３の側壁６４１もまた、折り曲げられたアーム６９７をその上に有する。このアームは、第３の側壁６４１と一体的に形成され、そして第３の側壁６２１の第１及び第２の側端部６４７，６４９から等しい距離に位置決めされている。折り曲げられたアーム６９７も湾曲可能である。
【００８５】
動作時に、ナット部材６０２は、ケージ部材６０４の側壁６２１，６３１，６４１，６５１，６６３の間に位置決めされるので、ナット部材６０２の円筒部材６１４は、ケージ部材６０４の円形切り抜き部６８９を通して位置決めされる。その後、折り曲げられたアーム６９５，６９７は曲げられて、ナット部材６０２の下面６１０に接し、ケージナットアセンブリ６００を形成する。この結果、ケージ部材６０４は、ナット部材６０２と効果的に係合する。ケージ部材６０４と円形切り抜き部６８９は、ナット部材６０２の移動範囲を少なくとも１次元に、好ましくは２次元に、例えば図１６に示されるように“Ｘ”および“Ｙ”軸に制限するように、それらのサイズが設定されている。
【００８６】
ケージナットアセンブリ６００が形成されると、ケージナットアセンブリ６００はそれから、相手方表面６５７に取り付けられなければならない。ケージナットアセンブリ６００は、相手方表面６５７上に位置決めされ、タブ６４０，６４２，６９９が相手方表面６５７と接触する。ケージナットアセンブリ６００はそれから、タブ６４０，６４２の助けによって、相手方表面６５７に溶接される。溶接中に、第４及び第５の側壁６５１，６６３は、溶接シーム６５８に沿って互いに溶接される。タブ６９９もまた、ケージナットアセンブリ６００を相手方表面６５７に溶接することを助け、そして第４の側壁６５１の底面６５５に溶接されて、溶接タブ６６０を形成する。
【００８７】
窓６９１は、必要に応じてナット部材６０２を手入れするためのナット部材取り外し窓として作用する。フランジ６９３は、ナット部材６０２をケージ部材６０４内に保持することを助けるように作用するが、ナット部材６０２を手入れする必要がある場合に、ナット部材６０２への接近を可能とするように、外側へ曲げることもできる。
【００８８】
ここで留意されるべき点は、ナット部材６０２の移動範囲を少なくとも１次元に、好ましくは２次元に、例えば図１６に示されるように“Ｘ”および“Ｙ”軸に制限するようにサイズ設定された円筒部材６１４とケージ部材６０４なしに、ナット部材６０２が形成され得るということである。
【００８９】
本発明の第７の実施形態によるケージナットアセンブリ７００を示す図１９〜２１に注目する。このケージナットアセンブリ７００は、ナット７０２と、ケージ７０４とを備える。
【００９０】
ナット７０２は、図２１に最も良く示されているように、矩形ブロック７０６を備える。この矩形ブロックは、概ね平面の上面７０８と、概ね平面の下面（図示せず）と、これら上面７０８および下面を接続する側壁７１２とを有する。ナット部材７０２のブロック７０６を通して、開口７１６が延びている。この開口７１６は、ブロック７０６の下面７１０で閉じられるか、ブロック７０６を通して最後まで延びる。開口７１６は、ネジ切りされていることが好ましい開口壁面７１８を規定する。この開口壁面は、そこに取り付けられるボルトやネジ（図示せず）を受け入れることが可能である。
【００９１】
ケージ７０４部材は、図１９〜２０に最もよく示されている。ケージ部材７０４は、ナット部材７０２を収容するために使用される。ナット部材７０２を収容する前に、ケージ部材７０４は、第１の側壁７２１を有するように形成されている。この第１の側壁は、頂部および底部エッジ７２３，７２５と、第１及び第２の側端部７２７，７２９とを有する。
【００９２】
ケージ部材７０４は更に、第２の側壁７３１を有するように形成されている。この第２の側壁は、頂部および底部エッジ７３３，７３５と、第１及び第２の側端部７３７，７３９とを有する。第２の側壁７３１は、第１の側壁７２１と一体的に形成され、第２の側壁７３１の第１の側端部７３７が、第１の側壁７２１の第２の側端部７２９と等しくなる。第２の側壁７３１は、図２１に示されるように、第１の側壁７２１から直角に、“Ｘ”軸に沿って延びている。第２の側壁７３１の底部エッジ７３５は、第１の側壁７２１の底部エッジ７２５と同一面に設けられ、第２の側壁７３１の頂部エッジ７３３は、第１の側壁７２１の頂部エッジ７２２とは異なる面に設けられている。
【００９３】
ケージ部材７０４は更に、第３の側壁７４１を有するように形成されている。この第３の側壁は、頂部および底部エッジ７４３，７４５と、第１及び第２の側端部７４７，７４９とを有する。第３の側壁７４１は、第２の側壁７３１と一体的に形成され、第３の側壁７４１の第１の側端部７４７が、第２の側壁７３１の第２の側端部７３９と等しくなる。第３の側壁７４１は、図１９に示されるように、第２の側壁７３１から直角に、“Ｙ”軸に沿って延びている。この結果、第３の側壁７４１は第１の側壁７２１と平行になる。第３の側壁７４１の頂部および底部エッジ７４３，７４５は、第１の側壁７２１の頂部および底部エッジ７２３，７２５と同一面に設けられている。
【００９４】
ケージ部材７０４は更に、第４の側壁７５１を有するように形成されている。この第４の側壁は、頂部および底部エッジ７５３，７５５と、第１及び第２の側端部７５７，７５９とを有する。第４の側壁７５１は、第３の側壁７４１と一体的に形成され、第４の側壁７５１の第１の側端部７５７が、第３の側壁７４１の第２の側端部７４９と等しくなる。第４の側壁７５１は、図１９に示されるように、第３の側壁７４１から直角に、“Ｘ”軸に沿って延びている。この結果、第４の側壁７５１は第２の側壁７３１と平行になる。第４の側壁７５１の頂部および底部エッジ７５３，７５５は、第１の側壁７２１の頂部および底部エッジ７２３，７２５と同一面に設けられている。第４の側壁７５１の第２の側端部７５９はまた、蟻継ぎポケット７６１を有するように形成されている。
【００９５】
ケージ部材７０４は更に、第５の側壁７６３を有する。この第５の側壁は、頂部および底部エッジ７６５，７６７と、第１及び第２の側端部７６９，７７１とを有する。第５の側壁７６３は、第１の側壁７２１と一体的に形成され、第５の側壁７６３の第２の側端部７７１が、第１の側壁７２１の第１の側端部７２７と等しくなる。第５の側壁７６３は、図１９に示されるように、第１の側壁７２１から直角に、“Ｘ”軸に沿って延びている。この結果、第５の側壁７６３は第２の側壁７３１と平行になる。第５の側壁７６３の頂部および底部エッジ７６５，７６７は、第１の側壁７２１の頂部および底部エッジ７２３，７２５と同一面に設けられている。第５の側壁７６３の第１の側端部７６９はまた、蟻継ぎ拡張部７７３を有するように形成されている。蟻継ぎ拡張部７７３は、蟻継ぎポケット７６１内に挿入されて、第４の側壁７５１を第５の側壁７６３にロックする。この結果、第４の側壁７５１の第２の側端部７５９は、第５の側壁７６３の第１の側端部７６９に接する。第４の側壁７５１の第２の側端部７５９と第５の側壁７６３の第１の側端部７６９との間に、シーム７７５が設けられる。
【００９６】
第１の側壁７２１の底部エッジ７２５上に、第１および第２の側壁７２１，７３１の接続部に近接して、タブ７４０が設けられている。第３の側壁７４１の底部エッジ７４５上に、第２および第３の側壁７３１，７４１の接続部に近接して、タブ７４２が設けられている。第４の側壁７５１の底部エッジ７５５上に、第４および第５の側壁７５１，７６３の接続部に近接して、半タブ７４８が設けられている。第５の側壁７６３の底部エッジ７６７上に、第４および第５の側壁７５１，７６３の接続部に近接して、半タブ７５０が設けられている。半タブ７４８，７５０は互いに接して、それらの間にシーム７７５が設けられるようにする。
【００９７】
第１の側壁７２１の頂部エッジ７２３から第１のフラップ７７７が延びている。この第１のフラップは、概ね半円形の切り抜き部７７９をその遊端７８１に有する。第１のフラップ７７７は湾曲可能である。第３の側壁７４１の頂部エッジ７４３から第２のフラップ７８３が延びている。この第２のフラップは、概ね半円形の切り抜き部７８５をその遊端７８７に有する。第２のフラップ７８３は湾曲可能である。第１および第２のフラップ７７７，７８３は向かい合うように曲げられる。この結果、遊端７８１，７８７は互いに接し、また半円形の切り抜き部７７９，７８５は互いに連通して、円形の切り抜き部７８９を形成する。
【００９８】
第１の側壁７２１の底部エッジ７２５から第３のフラップ７７８が延びている。この第３のフラップは、概ね半円形の切り抜き部７８０をその遊端７８２に有する。第３のフラップ７７８は湾曲可能である。第３の側壁７４１の底部エッジ７４５から第４のフラップ７８４が延びている。この第４のフラップは、概ね半円形の切り抜き部７８６をその遊端７８８に有する。第４のフラップ７８４は湾曲可能である。第３および第４のフラップ７７８，７８４は向かい合うように曲げられる。この結果、遊端７８２，７８８は互いに接し、また半円形の切り抜き部７８０，７８６は互いに連通して、円形の切り抜き部７９０を形成する。
【００９９】
第１、第２および第３の側壁７２１，７３１，７４１とフラップ７７７，７８３、７７８，７８４との間に、窓７９１が設けられている。フランジ７９３は、窓７９１の一部をカバーすると共に、第２および第３の側壁７３１，７４１の接続部から延びている。フランジ７９３は湾曲可能である。
【０１００】
動作時に、ナット部材７０２は、窓７９１を通してケージ部材７０４内に滑入される。この結果、ナット部材７０２は、側壁７２１，７３１，７４１，７５１，７６３とフラップ７７７，７８３，７７８，７８４との間に位置決めされ、円形の切り抜き部７８９，７９０のいずれかを通して、ナット部材７１８の開口７１６に接近可能となる。それからフランジ７９３は、窓７９１の一部をカバーし、またナット部材７０２をケージ部材７０４内に保持することを助けるために、第２の側壁７３１と平行に位置決めされるように曲げられる。ケージ部材７０４は、ナット部材７０２と効果的に係合する。ケージ部材は、ナット部材７０２の移動範囲を少なくとも１次元に、好ましくは２次元に、例えば図１９に示されるように“Ｘ”および“Ｙ”軸に制限するように、そのサイズが設定されている。
【０１０１】
ケージナットアセンブリ７００が形成されると、ケージナットアセンブリ７００はそれから、相手方表面７５７に取り付けられなければならない。ケージナットアセンブリ７００は、相手方表面７５７上に位置決めされ、タブ７４０，７４２，７４８，７５０が相手方表面７５７と接触する。ケージナットアセンブリ７００はそれから、タブ７４０，７４２の助けによって、相手方表面７５７に溶接される。溶接中に、第４及び第５の側壁７５１，７６３は、溶接シーム７７５に沿って互いに溶接される。半タブ７４８，７５０もまた、ケージナットアセンブリ７００を相手方表面７５７に溶接することを助け、そして互いに溶接されて溶接タブ７６０を形成する。
【０１０２】
窓７９１は、必要に応じてナット部材７０２を手入れするためのナット部材取り外し窓として作用する。フランジ７９３は、ナット部材７０２を手入れする必要がある場合に、ナット部材７０２への接近を可能とするように、外側へ曲げることもできる。
【０１０３】
かくして、ケージナットアセンブリ１００，２００，３００，４００，５００，６００，７００を相手方表面１５７，２５７，３５７，４５７，５５７，６５７，７５７に溶接することにより、溶接シーム１４８，２５８，３５８，４５８，５５８，６５８，７５８、並びに溶接ディンプルおよびタブ１６０，２６０，３６０，４６０，５６０，６６０，７６０によって、従来のケージナットアセンブリよりも改良された強度特性を有した４側面連続の箱が与えられる。ケージナットアセンブリ１００，２００，３００，４００，５００，６００，７００は改良された強度特性を有するので、ケージナットアセンブリ１００，２００，３００，４００，５００，６００，７００は、最大厚さ１．８ミリメータに形成される材料で形成することができる。これに対し、従来のケージナットアセンブリは、最小厚さ２．０ミリメータに形成される。かくして、ケージナットアセンブリ１００，２００，３００，４００，５００，６００，７００は、ケージナットアセンブリ１００，２００，３００，４００，５００，６００，７００を形成することに使用される材料の厚さを少なくとも１０％低減する。このため、ケージナットアセンブリ１００，２００，３００，４００，５００，６００，７００の製造に関し、コスト面の物質的な節約が実現される。
【０１０４】
図２２は、ケージ部材１０４，２０４，３０４，４０４，５０４および７０４を相手方表面１５７，２５７，３５７，４５７，５５７，７５７に取り付ける方法を示している。図２３は、ケージナットアセンブリ１００，２００，３００，４００，５００および７００を相手方表面１５７，２５７，３５７，４５７，５５７，７５７に取り付ける方法を示している。図２４は、ケージナットアセンブリ６００を相手方表面６５７に取り付ける方法を示している。
【０１０５】
かくして、図は、本発明のいくつかの実施形態および方法を示している。各実施形態は、比較的薄い壁厚を有するケージ部材１０４，２０４，３０４，４０４，５０４，６０４，７０４が所望の応用におけるトルク要件を満たすように構成されたケージナットアセンブリ１００，２００，３００，４００，５００，６００，７００を提供する。各実施形態はまた、製造するに比較的安価であるが、所望の応用におけるトルク要件を満たすケージナットアセンブリ１００，２００，３００，４００，５００，６００，７００を提供する。各実施形態はさらに、ナット部材１０２，２０２，３０２，４０２，５０２，６０２，７０２が“Ｘ”および“Ｙ”軸の調整可能性を有する必要のある応用に使用可能なケージナットアセンブリ１００，２００，３００，４００，５００，６００，７００を提供する。
【０１０６】
本発明のいくつかの具体的な実施形態が図示され、説明されたが、前述の説明の精神及び範囲から離れることなしに、当業者が種々の変形例を工夫することは予測される。
【図面の簡単な説明】
【０１０７】
【図１】本発明の１つの実施形態によるケージナットアセンブリの斜視図である。
【図２】図１に示されたケージナットアセンブリの斜視図であり、この場合、図２のケージナットアセンブリは、図１に対して１８０度回転させられている。
【図３】図１および図２に示されたケージナットアセンブリのナット部材の斜視図である。
【図４】本発明の第２の実施形態によるケージナットアセンブリの斜視図である。
【図５】図４に示されたケージナットアセンブリの斜視図であり、この場合、図５のケージナットアセンブリは、図４に対して１８０度回転させられている。
【図６】図４および５に示されたケージナットアセンブリのナット部材の斜視図である。
【図７】本発明の第３の実施形態によるケージナットアセンブリの斜視図である。
【図８】図７に示されたケージナットアセンブリの斜視図であり、この場合、図８のケージナットアセンブリは、図７に対して１８０度回転させられている。
【図９】図７および８に示されたケージナットアセンブリのナット部材の斜視図である。
【図１０】本発明の第４の実施形態によるケージナットアセンブリの斜視図である。
【図１１】図１０に示されたケージナットアセンブリの斜視図であり、この場合、図１１のケージナットアセンブリは、図１０に対して１８０度回転させられている。
【図１２】図１０および１１に示されたケージナットアセンブリのナット部材の斜視図である。
【図１３】本発明の第５の実施形態によるケージナットアセンブリの斜視図である。
【図１４】図１３に示されたケージナットアセンブリの斜視図であり、この場合、図１４のケージナットアセンブリは、図１３に対して１８０度回転させられている。
【図１５】図１３に示されたケージナットアセンブリのナット部材の斜視図である。
【図１６】本発明の第６の実施形態によるケージナットアセンブリの斜視図である。
【図１７】図１６に示されたケージナットアセンブリの斜視図である。
【図１８】図１６に示されたケージナットアセンブリのナット部材の斜視図である。
【図１９】本発明の第７の実施形態によるケージナットアセンブリの斜視図である。
【図２０】図１９に示されたケージナットアセンブリの斜視図である。
【図２１】図１９に示されたケージナットアセンブリのナット部材の斜視図である。
【図２２】図１，４，７，１０，１３および１９に示されたケージナットアセンブリのナット部材を相手方表面に取り付ける方法を示す。
【図２３】図１，４，７，１０，１３および１９に示されたケージナットアセンブリを相手方表面に取り付ける方法を示す。
【図２４】図１６に示されたケージナットアセンブリを相手方表面に取り付ける方法を示す。
【図１】
2005535848.tif 000003
【図２】
2005535848.tif 000004
【図３】
2005535848.tif 000005
【図４】
2005535848.tif 000006
【図５】
2005535848.tif 000007
【図６】
2005535848.tif 000008
【図７】
2005535848.tif 000009
【図８】
2005535848.tif 000010
【図９】
2005535848.tif 000011
【図１０】
2005535848.tif 000012
【図１１】
2005535848.tif 000013
【図１２】
2005535848.tif 000014
【図１３】
2005535848.tif 000015
【図１４】
2005535848.tif 000016
【図１５】
2005535848.tif 000017
【図１６】
2005535848.tif 000018
【図１７】
2005535848.tif 000019
【図１８】
2005535848.tif 000020
【図１９】
2005535848.tif 000021
【図２０】
2005535848.tif 000022
【図２１】
2005535848.tif 000023
【図２２】
2005535848.tif 000024
【図２３】
2005535848.tif 000025
【図２４】
2005535848.tif 000026
【手続補正書】
【提出日】平成16年8月17日(2004.8.17)
【手続補正１】
【補正対象書類名】特許請求の範囲
【補正対象項目名】全文
【補正方法】変更
【補正の内容】
【特許請求の範囲】
【請求項１】
ネジ切りされた開口を有するナット部材と係合可能であり、これによりケージナットアセンブリを提供するケージ部材であって、前記ケージ部材は、ナット部材を収容するように構成された本体を備えるとともに、その中に形成された開口を有し、前記開口は、ナット部材が前記ケージ部材によって概ね収容されたときに、ナット部材のネジ切りされた開口への接近を許容するように構成され、前記本体は、少なくとも１つの突起を有すると共に１つのシームを規定し、前記突起は、前記シームがその間に設けられるように互いに接する半体に形成されて、前記突起は、前記ケージ部材を相手方表面に固定するために、前記突起が相手方表面に溶接可能であるように構成され、そして、実質的に同時存在的に、前記突起の前記半体は、前記半体が前記シームに沿って互いに溶接可能であるように構成されていることを特徴とするケージ部材。
【請求項２】
前記本体は、３つの突起を規定し、前記３つの突起の１つは、互いに接する半体に形成されている請求項１に記載のケージ部材。
【請求項３】
前記突起のそれぞれは、ディンプルとして形成されている請求項２に記載のケージ部材。
【請求項４】
前記突起のそれぞれは、タブとして形成されている請求項２に記載のケージ部材。
【請求項５】
前記本体は、４つの突起を規定し、前記４つの突起の２つは、互いに接する半体に形成されている請求項１に記載のケージ部材。
【請求項６】
前記突起のそれぞれは、ディンプルとして形成されている請求項５に記載のケージ部材。
【請求項７】
前記本体は、ナット部材を支持するように構成されたベース部分と、前記ベース部分の対向する端部から延びた一対のアームとを有し、これらのアームは、ナット部材の回りで湾曲して、ナット部材を収容するように構成され、前記本体の前記開口は、その前記ベース部分を通して設けられ、各前記アームは、遊端を有し、各前記アームは、その上に設けられた前記少なくとも１つの突起の前記半体を有し、前記半体は互いに接して、それらの間に前記シームを設け、前記シームは、さらに前記アームの前記遊端間に設けられている請求項１に記載のケージ部材。
【請求項８】
前記アーム間の前記ベース部分の対向する端部から前記シームに向けてフランジ部材が延び、前記フランジ部材の少なくとも１つは、湾曲可能であり、前記フランジ部材は、ナット部材がケージ部材内に収容されたときに、ナット部材の移動範囲を制限するように構成されている請求項７に記載のケージ部材。
【請求項９】
前記本体は、一体的に形成された複数の側壁を有し、前記側壁の２つは、互いに接する遊端を有し、且つ前記遊端に沿ってそこから延びた前記少なくとも１つの突起の前記半体を有し、前記シームは、前記少なくとも１つの突起の前記半体の間、並びに前記２つの側壁の前記遊端の間に設けられている請求項１に記載のケージ部材。
【請求項１０】
遊端を有する前記側壁の一方は、その中に設けられた蟻継ぎポケットを有し、遊端を有する前記側壁の他方は、その上に設けられた蟻継ぎ拡張部を有し、この蟻継ぎ拡張部は、前記２つの側壁を一緒に結合するために、前記蟻継ぎポケット内に位置決めされることが可能である請求項９に記載のケージ部材。
【請求項１１】
前記側壁の２つは、そこから延びたフラップを有し、これらフラップは、互いに接する遊端をその上に有し、各前記フラップは、その前記遊端に半円形の切り抜き部を有し、これら半円形の切り抜き部は、互いに連通して円形の切り抜き部を形成する請求項９に記載のケージ部材。
【請求項１２】
ナット手入れ窓が前記側壁の一方に近接して設けられ、前記窓の一部をカバーするフランジが設けられ、このフランジは、ナット部材が前記ケージ部材内に収容されたときにナット部材への接近を可能とするように湾曲可能である請求項９に記載のケージ部材。
【請求項１３】
前記側壁の２つは、そこから延びた折り曲げ可能なアームを有し、これらアームは、ナット部材が前記ケージ部材内に収容されたときにナット部材を支持するために、ナット部材の下面の回りで折り曲がるように構成されている請求項９に記載のケージ部材。
【請求項１４】
ケージナットアセンブリであって、
そこを通るネジ切りされた開口を有するナット部材と、
前記ナット部材を収容するように構成された本体を有するとともに、その中に形成された開口を有するケージ部材と、を備え、前記開口は、前記ナット部材が前記ケージ部材によって概ね収容されたときに、前記ナット部材の前記ネジ切りされた開口への接近を可能とするように構成され、前記本体は、シームを規定すると共に、少なくとも１つの突起を有し、前記突起は、前記シームがそれらの間に設けられるように互いに接する半体に形成されて、前記突起は、前記ケージ部材を相手方表面に固定するために、前記突起が相手方表面に溶接可能であるように構成され、そして、実質的に同時存在的に、前記突起の前記半体は、前記半体が前記シームに沿って互いに溶接可能であるように構成されていることを特徴とするケージナットアセンブリ。
【請求項１５】
前記ケージ部材の前記本体は、一体的に形成された複数の側壁を有し、前記側壁の２つは、互いに接する遊端を有してその間に前記シームを設け、前記突起の１つは、その１つの突起がその前記遊端において前記２つの側壁の他方のエッジ上に重なるように、その前記遊端において、前記２つの側壁の一方のエッジ上に形成されている請求項１４に記載のケージナットアセンブリ。
【請求項１６】
ケージナットアセンブリのケージ部材を相手方表面に取り付ける方法であって、
ａ）ナット部材がケージ部材によって概ね収容されたときに、ナット部材のネジ切りされた開口への接近を可能とするように構成された本体を有するケージ部材であって、前記本体は、シームを規定すると共に、少なくとも１つの突起を有し、前記突起は、前記シームがそれらの間に設けられように互いに接する半体に形成されているケージ部材を与える工程と、
ｂ）前記ケージ部材の突起を相手方表面上に位置決めする工程と、
ｃ）前記突起の半体が前記シームに沿って一緒に溶接されるように、前記突起を相手方表面に溶接する工程と
を備えることを特徴とする方法。
【請求項１７】
ケージナットアセンブリを相手方表面に取り付ける方法であって、
ａ）ナット部材と、シーム、及びそのシームに沿って半体に形成された少なくとも１つの突起を規定する本体を有したケージ部材と、を与える工程と、
ｂ）前記ナット部材が前記ケージ部材内で少なくとも一方向に制限された移動範囲を有するように、前記ナット部材を前記ケージ部材内に収容して、前記ケージナットアセンブリを形成する工程と、
ｃ）前記ケージ部材の前記突起を相手方表面上に位置決めする工程と、
ｄ）前記突起の半体が前記シームに沿って溶接されるように、前記突起を相手方表面に溶接する工程と
を備えることを特徴とする方法。
【請求項１８】
ケージナットアセンブリを相手方表面に取り付ける方法であって、
ａ）ナット部材と、シーム、及びケージ部材の一部に重なるとともにそれらの間に前記シームを与える少なくとも１つの突起を規定する本体を有したケージ部材と、を与える工程と、
ｂ）前記ナット部材が前記ケージ部材内で少なくとも１次元に制限された移動範囲を有するように、前記ナット部材を前記ケージ部材内に収容して、前記ケージナットアセンブリを形成する工程と、
ｃ）前記ケージ部材の前記突起を相手方表面上に位置決めする工程と、
ｄ）前記重なる突起が前記シームに沿って前記ケージ部材の前記一部に溶接されるように、前記突起を相手方表面に溶接する工程と
を備えることを特徴とする方法。
【請求項１９】
ネジ切りされた開口を有するナット部材と係合可能であり、これによりケージナットアセンブリを提供するケージ部材であって、前記ケージ部材は、ナット部材を収容するように構成される本体を備えるとともに、その中に形成された開口を有し、前記開口は、ナット部材が前記ケージ部材によって概ね収容されたときに、ナット部材のネジ切りされた開口への接近を許容するように構成され、前記本体は、１つの溶接可能なシームを規定するとともに、少なくとも１つの突起を有し、前記突起は、前記ケージ部材を相手方表面に固定するために、前記突起が相手方表面に溶接可能であるように構成されていることを特徴とするケージ部材。
【請求項２０】
ネジ切りされた開口を有するナット部材と係合可能であり、これによりケージナットアセンブリを提供するケージ部材であって、前記ケージ部材は、ナット部材を収容するように構成される本体を備えるとともに、その中に形成された開口を有し、前記開口は、ナット部材が前記ケージ部材によって概ね収容されたときに、ナット部材のネジ切りされた開口への接近を許容するように構成され、前記本体は、ベース部分と、前記ベース部分から延びた第１及び第２のアーム部分とを有し、前記第１及び第２のアーム部分の間にシームが規定され、前記第１及び第２のアーム部分の少なくとも１つは、少なくとも１つの突起を有し、前記少なくとも１つの突起は、前記ケージ部材を相手方表面に固定するために、相手方表面に溶接可能に構成され、前記シームは、相手方表面に近接して設けられていることを特徴とするケージ部材。
【請求項２１】
前記少なくとも１つの突起は、前記シームに近接して配置されている請求項２０に記載のケージ部材。
【請求項２２】
前記第１のアーム部分と前記第２のアーム部分は、相手方表面に面する前記ケージ部材の下面を規定し、前記少なくとも１つの突起は、前記ケージ部材の前記下面から突出している請求項２０に記載のケージ部材。
【請求項２３】
前記少なくとも１つの突起は、単一の突起であり、前記単一の突起は、前記シームによってセグメント化されて、前記単一の突起の互いに近接した隣接するセグメントを規定し、それにより、前記シームは、それらの間に設けられるとともに、前記突起の前記隣接するセグメントは、概ね完全な突起を形成し、前記突起の前記隣接するセグメントは、相手方表面に溶接可能であるとともに、前記シームに沿って互いに溶接可能である請求項２０に記載のケージ部材。
【請求項２４】
前記シームは、前記突起の各前記隣接するセグメントが、前記概ね完全な突起の概ね半体を備えるように、前記突起の前記隣接するセグメントの間を延びる請求項２３に記載のケージ部材。
【請求項２５】
前記少なくとも１つの突起は、一対の突起であり、各前記突起は、前記シームによってセグメント化されて、各前記突起の互いに近接した隣接するセグメントを規定し、それにより、前記シームは、それらの間に設けられるとともに、各前記突起の前記隣接するセグメントは、概ね完全な突起を形成し、各前記突起の前記隣接するセグメントは、相手方表面に溶接可能であるとともに、前記シームに沿って互いに溶接可能である請求項２０に記載のケージ部材。
【請求項２６】
前記シームは、前記突起の各前記隣接するセグメントが、前記概ね完全な突起の概ね半体を備えるように、前記突起の前記隣接するセグメントの間を延びる請求項２５に記載のケージ部材。
【請求項２７】
前記少なくとも１つの突起は、ディンプルとして形成されている請求項２０に記載のケージ部材。
【請求項２８】
前記少なくとも１つの突起は、タブとして形成されている請求項２０に記載のケージ部材。
【請求項２９】
前記本体は、ナット部材を本体内に収容するために、第１の方向に移動されるように構成された少なくとも１つのフランジ部材を有する請求項２０に記載のケージ部材。
【請求項３０】
前記少なくとも１つのフランジ部材は、ナット部材を本体内から取り出すことを可能にするために、第１の方向とは逆の第２の方向に移動されるように更に構成されている請求項２９に記載のケージ部材。
【請求項３１】
前記少なくとも１つのフランジ部材は、前記本体と一体的に形成されている請求項２９に記載のケージ部材。
【請求項３２】
前記本体は、２つのフランジ部材を有する請求項２９に記載のケージ部材。
【請求項３３】
前記少なくとも１つのフランジ部材は、前記本体の前記ベース部分から延びている請求項２９に記載のケージ部材。
【請求項３４】
前記少なくとも１つのフランジ部材は、第１の部分と、この第１の部分から概ね角をなす第２の部分とを有するように概ねＬ字型に形成されている請求項３３に記載のケージ部材。
【請求項３５】
ネジ切りされた開口を有するナット部材と係合可能であり、これによりケージナットアセンブリを提供するケージ部材であって、前記ケージ部材は、ナット部材を収容するように構成された本体を備えるとともに、その中に形成された開口を有し、前記開口は、ナット部材が前記ケージ部材によって概ね収容されたときに、ナット部材のネジ切りされた開口への接近を許容するように構成され、前記本体は、複数の側壁を有し、前記側壁の２つは、互いに近接した遊端を有し、前記２つの側壁の前記遊端の間にシームが規定され、前記２つの側壁の少なくとも１つは、少なくとも１つの突起を有し、前記少なくとも１つの突起は、前記ケージ部材を相手方表面に固定するために、相手方表面に溶接可能に構成され、前記シームは、相手方表面に近接して設けられていることを特徴とするケージ部材。
【請求項３６】
前記少なくとも１つの突起は、前記シームに近接して配置されている請求項３５に記載のケージ部材。
【請求項３７】
前記第１のアーム部分と前記第２のアーム部分は、相手方表面に面する前記ケージ部材の下面を規定し、前記少なくとも１つの突起は、前記ケージ部材の前記下面から突出している請求項３５に記載のケージ部材。
【請求項３８】
前記少なくとも１つの突起は、単一の突起であり、前記単一の突起は、前記シームによってセグメント化されて、前記単一の突起の互いに近接した隣接するセグメントを規定し、それにより、前記シームは、それらの間に設けられるとともに、前記突起の前記隣接するセグメントは、概ね完全な突起を形成し、前記突起の前記隣接するセグメントは、相手方表面に溶接可能であるとともに、前記シームに沿って互いに溶接可能である請求項３５に記載のケージ部材。
【請求項３９】
前記シームは、前記突起の各前記隣接するセグメントが、前記概ね完全な突起の概ね半体を備えるように、前記突起の前記隣接するセグメントの間を延びる請求項３５に記載のケージ部材。
【請求項４０】
前記少なくとも１つの突起は、その１つの突起が、前記２つの側壁の他方の前記遊端に近接した前記底部エッジ上に重なるように、前記２つの側壁の一方の前記遊端に近接した前記底部エッジ上に形成されている請求項３７に記載のケージ部材。
【請求項４１】
前記シームは、前記１つの重なる突起と前記底部エッジが、互いに溶接可能であるように、前記１つの重なる突起と前記２つの側壁の他方の前記遊端に近接した前記底部エッジとの間を延びる請求項４０に記載のケージ部材。
【請求項４２】
前記少なくとも１つの突起は、タブとして形成されている請求項３５に記載のケージ部材。
【請求項４３】
遊端を有する前記側壁の一方は、その中に設けられた蟻継ぎポケットを有し、遊端を有する前記側壁の他方は、その上に設けられた蟻継ぎ拡張部を有し、この蟻継ぎ拡張部は、前記２つの側壁を一緒に結合するために、前記蟻継ぎポケット内に位置決めされることが可能である請求項３５に記載のケージ部材。
【請求項４４】
ナット手入れ窓が前記複数の側壁の一方に近接して設けられ、前記窓の一部をカバーするフランジが設けられ、このフランジは、ナット部材が前記ケージ部材内に収容されたときにナット部材への接近を可能とするように湾曲可能である請求項３５に記載のケージ部材。
【請求項４５】
前記複数の側壁の少なくとも１つは、そこから延びた折り曲げ可能なアームを有し、これらアームは、ナット部材が前記ケージ部材内に収容されたときにナット部材を支持するために、ナット部材の下面の一部の回りで折り曲がるように構成されている請求項３５に記載のケージ部材。
【請求項４６】
前記側壁の２つは、そこから延びた折り曲げ可能なアームを有し、これらアームは、ナット部材が前記ケージ部材内に収容されたときにナット部材を支持するために、ナット部材の前記下面の回りで折り曲がるように構成されている請求項９に記載のケージ部材。
【請求項４７】
ケージナットアセンブリであって、
そこを通るネジ切りされた開口を有するナット部材と、
ケージ部材と、を備え、前記ケージ部材は、ナット部材を収容するように構成された本体を備えるとともに、その中に形成された開口を有し、前記開口は、ナット部材が前記ケージ部材によって概ね収容されたときに、ナット部材のネジ切りされた開口への接近を許容するように構成され、前記本体は、ベース部分と、前記ベース部分から延びた第１及び第２のアーム部分とを有し、前記第１及び第２のアーム部分の間にシームが規定され、前記第１及び第２のアーム部分の少なくとも１つは、少なくとも１つの突起を有し、前記少なくとも１つの突起は、前記ケージ部材を相手方表面に固定するために、相手方表面に溶接可能に構成され、前記シームは、相手方表面に近接して設けられていることを特徴とするケージナットアセンブリ。
【請求項４８】
前記少なくとも１つの突起は、単一の突起であり、前記単一の突起は、前記シームによってセグメント化されて、前記単一の突起の互いに近接した隣接するセグメントを規定し、それにより、前記シームは、それらの間に設けられるとともに、前記突起の前記隣接するセグメントは、概ね完全な突起を形成し、前記突起の前記隣接するセグメントは、相手方表面に溶接可能であるとともに、前記シームに沿って互いに溶接可能である請求項４７に記載のケージ部材。
【請求項４９】
前記少なくとも１つの突起は、一対の突起であり、各前記突起は、前記シームによってセグメント化されて、各前記突起の互いに近接した隣接するセグメントを規定し、それにより、前記シームは、それらの間に設けられるとともに、各前記突起の前記隣接するセグメントは、概ね完全な突起を形成し、各前記突起の前記隣接するセグメントは、相手方表面に溶接可能であるとともに、前記シームに沿って互いに溶接可能である請求項４７に記載のケージ部材。
【請求項５０】
前記本体は、ナット部材を本体内に収容するために、第１の方向に移動されるように構成された少なくとも１つのフランジ部材を有する請求項４７に記載のケージ部材。
【請求項５１】
前記少なくとも１つのフランジ部材は、ナット部材を本体内から取り出すことを可能にするために、第１の方向とは逆の第２の方向に移動されるように更に構成されている請求項５０に記載のケージ部材。
【請求項５２】
前記少なくとも１つのフランジ部材は、前記本体と一体的に形成されている請求項５０に記載のケージ部材。
【請求項５３】
前記本体は、２つのフランジ部材を有する請求項５０に記載のケージ部材。
【請求項５４】
前記少なくとも１つのフランジ部材は、前記本体の前記ベース部分から延びている請求項５０に記載のケージ部材。
【請求項５５】
前記少なくとも１つのフランジ部材は、第１の部分と、この第１の部分から概ね角をなす第２の部分とを有するように概ねＬ字型に形成されている請求項５４に記載のケージ部材。
【請求項５６】
ケージナットアセンブリであって、
そこを通るネジ切りされた開口を有するナット部材と、
ケージ部材と、を備え、前記ケージ部材は、ナット部材を収容するように構成された本体を備えるとともに、その中に形成された開口を有し、前記開口は、前記ナット部材が前記ケージ部材によって概ね収容されたときに、前記ナット部材の前記ネジ切りされた開口への接近を許容するように構成され、前記本体は、複数の側壁を有し、前記側壁の２つは、互いに近接した遊端を有し、前記２つの側壁の前記遊端の間にシームが規定され、前記２つの側壁の少なくとも１つは、少なくとも１つの突起を有し、前記少なくとも１つの突起は、前記ケージ部材を相手方表面に固定するために、相手方表面に溶接可能に構成され、前記シームは、相手方表面に近接して設けられ、前記２つの側壁は、相手方表面に面する前記ケージ部材の底部エッジを規定し、前記少なくとも１つの突起は、前記ケージ部材の前記底部エッジから突出していることを特徴とするケージナットアセンブリ。
【請求項５７】
前記少なくとも１つの突起は、単一の突起であり、前記単一の突起は、前記シームによってセグメント化されて、前記単一の突起の互いに近接した隣接するセグメントを規定し、それにより、前記シームは、それらの間に設けられるとともに、前記突起の前記隣接するセグメントは、概ね完全な突起を形成し、前記突起の前記隣接するセグメントは、相手方表面に溶接可能であるとともに、前記シームに沿って互いに溶接可能である請求項５６に記載のケージ部材。
【請求項５８】
前記少なくとも１つの突起は、その１つの突起が、前記２つの側壁の他方の前記遊端に近接した前記底部エッジ上に重なるように、前記２つの側壁の一方の前記遊端に近接した前記底部エッジ上に形成されている請求項５６に記載のケージ部材。
【請求項５９】
前記ケージ部材は、前記複数の側壁の一方に近接して設けられたナット手入れ窓を有し、前記窓の一部をカバーするフランジが設けられ、このフランジは、ナット部材が前記ケージ部材内に収容されたときにナット部材への接近を可能とするように湾曲可能である請求項５６に記載のケージ部材。
【請求項６０】
前記ケージ部材の前記複数の側壁の少なくとも１つは、そこから延びた折り曲げ可能なアームを有し、これらアームは、ナット部材が前記ケージ部材内に収容されたときにナット部材を支持するために、ナット部材の下面の一部の回りで折り曲がるように構成されている請求項５６に記載のケージ部材。
【請求項６１】
前記ケージ部材の前記側壁の２つは、そこから延びた折り曲げ可能なアームを有し、これらアームは、ナット部材が前記ケージ部材内に収容されたときにナット部材を支持するために、ナット部材の前記下面の回りで折り曲がるように構成されている請求項６０に記載のケージ部材。
【国際調査報告】
2005535848.tif 000027
2005535848.tif 000028